(57)【要約】【課題】冷房・暖房能力試験時に能力測定時間の短縮を備えた多室形空気調和機を提供する。【解決手段】ー多室形空気調和機１において、多室形空気調和機１の１台以上の選択された室内機運転後の室内外空気温度が所定許容差の範囲内に入った後、運転選択された１台以上の室内機１６ａ〜１６ｄのリモートコントローラ１７ａ〜１７ｄのうちの一つのリモートコントローラまたは多室形空気調和機１の運転選択された１台以上の室内機本体１６ａ〜１６ｄと室外機本体１９のうちの一つの本体の所定の操作ボタンを押すと、圧縮機２の運転周波数が固定されることにより、室外膨張弁５または室内膨張弁２１ａ〜２１ｄの開度および室外ファン１０の回転数の変更のみとなり、目標吐出温度に到達するまでの時間が短縮され、性能測定時間の短縮を図ることができる。【選択図】図２
2008039312.tif 000002
【特許請求の範囲】
【請求項１】
１台の室外機と、前記室外機に接続された複数台の室内機を有し、前記室外機には圧縮機、四方弁、室外熱交換器、室外膨張弁を備え、少なくとも前記圧縮機の冷媒流出側に設けられる吐出温度検出手段、前記室外熱交換器の所定位置に設けられる室外熱交温度検出手段、前記室外熱交換器風上側の所定位置に設けられる室外吸込温度検出手段とを有し、前記複数台の室内機にはそれぞれ室内熱交換器、室内膨張弁を備え、少なくとも前記室内熱交換器の所定位置に設けられる室内熱交温度検出手段、前記室内熱交換器風上側の所定位置に設けられる室内吸込温度検出手段とを有する多室形空気調和機において、前記多室形空気調和機の１台以上の選択された室内機運転後の室内外空気温度が所定許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、前記圧縮機の運転周波数を固定することを特徴とする多室形空気調和機。
【請求項２】
１台の室外機と、前記室外機に接続された複数台の室内機を有し、前記室外機には圧縮機、四方弁、室外熱交換器、室外膨張弁を備え、少なくとも前記圧縮機の冷媒流出側に設けられる吐出温度検出手段、前記室外熱交換器の所定位置に設けられる室外熱交温度検出手段、前記室外熱交換器風上側の所定位置に設けられる室外吸込温度検出手段とを有し、前記複数台の室内機にはそれぞれ室内熱交換器、室内膨張弁を備え、少なくとも前記室内熱交換器の所定位置に設けられる室内熱交温度検出手段、前記室内熱交換器風上側の所定位置に設けられる室内吸込温度検出手段とを有する多室形空気調和機において、前記多室形空気調和機の１台以上の選択された室内機運転後の室内外空気温度が所定許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、室内外膨張弁の開度を固定することを特徴とする多室形空気調和機。
【請求項３】
前記多室形空気調和機の１台以上の選択された室内機運転後の室内外空気温度が所定許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、室外熱交換器を通過する空気流を発生させる室外ファンの回転数を固定することを特徴とする請求項１または２に記載の多室形空気調和機。
【請求項４】
前記多室形空気調和機の１台以上の選択された室内機運転後の室内外空気温度が所定許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押してからの制御を、所定時間が経過してから行うことを特徴とする請求項１〜３のうちいずれか一項に記載の多室形空気調和機。
【発明の詳細な説明】
【技術分野】
【０００１】
本発明は、冷房・暖房能力試験時に能力測定時間の短縮を備えた多室形空気調和機に関するものである。
【背景技術】
【０００２】
従来の多室形空気調和機は、室内制御器の制御基板上に設けられるアドレス設定スイッチを有していた（例えば、特許文献１参照）。
【０００３】
図６は、特許文献１に記載された従来の多室形空気調和機の一例を示す冷凍サイクル図である。図６に示すように、多室形空気調和機１は、圧縮機２、冷媒の循環方向を切り換える四方弁３、室外熱交換器４、前記冷媒の流量を制御する室外膨張弁５を備えた室外機１９と、それぞれ室内熱交換器６ａ〜６ｄ、室内膨張弁２１ａ〜２１ｂ等を備えた複数台の室内機１６ａ〜１６ｄとを冷媒配管７で接続して構成している。室外機１９には室外熱交換器４を通過する空気流を発生させる室外ファン１０、室内機１６ａ〜１６ｄには室内熱交換器６ａ〜６ｄをそれぞれ通過する空気流を発生させる室内ファン１２ａ〜１２ｄを備える。また、圧縮機２の冷媒流出側に設けられる吐出温度検出手段９、室外熱交換器４の所定位置に設けられる室外熱交温度検出手段１１、室外熱交換器４の風上側の所定位置に設けられる室外吸込温度検出手段２０、室内熱交換器６ａ〜６ｄの所定位置にそれぞれ設けられる室内熱交温度検出手段１３ａ〜１３ｄ、室内熱交換器６ａ〜６ｄの風上側の所定位置にそれぞれ設けられる室内吸込温度検出手段１４ａ〜１４ｄを備える。さらに室内機１６ａ〜１６ｄには、リモートコントローラ１７ａ〜１７ｄの信号をそれぞれ受信する室内制御器１５ａ〜１５ｄ、室内制御器１５ａ〜１５ｄと通信を行う室外制御器、室内制御器１５ａ〜１５ｄの制御基板上に設けられるアドレス設定スイッチ２２ａ〜２２ｄを備える。
【０００４】
図７は、従来の多室形空気調和機を動作させる場合の制御手順を示すフローチャートであり、Ｓ１０１〜Ｓ１０６は各動作ステップを示す。まず、多室形空気調和機１を動作させると、通常運転が行われる（Ｓ１０１）。そして、Ｓ１０２において性能測定時の室内外空調の温度判定が行われ、室内外空気温度が性能測定温度の許容差の範囲外と判断された場合、Ｓ１０３において、運転周波数、室内外膨張弁開度および室外ファン回転数の変更が行われ、上記Ｓ１０１の通常運転モードになる。他方、上記Ｓ１０２において、室内外空気温度が性能測定温度の許容差の範囲内と判断された場合、運転周波数、室内外膨張弁開度および室外ファン回転数が固定される（Ｓ１０４）。そして、Ｓ１０５において、吐出温度判定が行われ、目標吐出温度に到達していない場合は上記Ｓ１０３に戻る。他方、上記Ｓ１０５において、目標吐出温度に到達している場合は、Ｓ１０６において、性能測定が行われる。
【特許文献１】特開２００５−４９０６９号公報
【発明の開示】
【発明が解決しようとする課題】
【０００５】
しかしながら、前記従来の構成では、目標吐出温度に到達するまで、運転周波数、室内外膨張弁開度および室外ファン回転数が繰り返し変更されるため、冷房・暖房能力試験時に能力測定時間がかかるという課題を有していた。
【０００６】
本発明は、前記従来の課題を解決するもので、制御方法を改善することにより、冷房・暖房能力試験時に能力測定時間の短縮を図る多室形空気調和機を提供することを目的とする。
【課題を解決するための手段】
【０００７】
前記従来の課題を解決するために、請求項１の多室形空気調和機は、１台以上の選択された室内機運転後の室内外空気温度が性能測定温度の許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、圧縮機の運転周波数が固定されることを特徴とする。これによって、室内外膨張弁開度および室外ファン回転数の変更のみとなり、目標吐出温度に到達するまでの時間が短縮される。
【０００８】
請求項２の多室形空気調和機は、１台以上の選択された室内機運転後の室内外空気温度が性能測定温度の許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、室内外膨張弁開度が固定されることを特徴とする。これによって、圧縮機の運転周波数および室外ファン回転数の変更のみとなり、目標吐出温度に到達するまでの時間が短縮される。
【０００９】
請求項３の多室形空気調和機は、１台以上の選択された室内機運転後の室内外空気温度が性能測定温度の許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、室外ファン回転数と運転周波数が固定、あるいは室外ファン回転数と室内外膨張弁開度が固定されることを特徴とする。これによって、室外ファン回転数と運転周波数が固定の場合は室内外膨張弁開度のみの変更、室外ファン回転数と室内外膨張弁開度が固定の場合は運転周波数のみの変更となり、目標吐出温度に到達するまでの時間が短縮される。
【００１０】
請求項４の多室形空気調和機は、１台以上の選択された室内機運転後の室内外空気温度が性能測定温度の許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押してから所定時間が経過すると、制御パラメータ（圧縮機の運転周波数、室内外膨張弁の開度、室外ファンの回転数）が固定されることを特徴とする。これによって、目標吐出温度に到達するまでの時間が短縮される。
【発明の効果】
【００１１】
本発明の多室形空気調和機は、性能測定時間および性能試験費用を削減することができる。
【発明を実施するための最良の形態】
【００１２】
第１の発明は、１台以上の選択された室内機運転後の室内外空気温度が性能測定温度の許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、圧縮機の運転周波数が固定されることにより、室内外膨張弁開度および室外ファン回転数の変更のみとなり、目標吐出温度に到達するまでの時間が短縮され、性能測定時間の短縮を図ることができる。
【００１３】
第２の発明は、１台以上の選択された室内機運転後の室内外空気温度が性能測定温度の許容差の範囲内に入った後、運転選択された１台以上の室内機のリモートコントローラの
うちの一つリモートコントローラまたは多室形空気調和機の運転選択された１台以上の室内機本体と室外機本体のうちの一つの本体の所定の操作ボタンを押すと、室内外膨張弁開度が固定されることにり、圧縮機の運転周波数および室外ファン回転数の変更のみとなり、目標吐出温度に到達するまでの時間が短縮され、性能測定時間の短縮を図ることができる。
【００１４】
第３の発明は、１台以上の選択された室内機運転後の室内外空気温度が性能測定温度の許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押すと、室外ファン回転数と運転周波数が固定、あるいは室外ファン回転数と室内外膨張弁開度が固定されることにより、室外ファン回転数と運転周波数が固定の場合は室内外膨張弁開度のみの変更、室外ファン回転数と室内外膨張弁開度が固定の場合は運転周波数のみの変更となり、目標吐出温度に到達するまでの時間が短縮され、性能測定時間の短縮を図ることができる。
【００１５】
第４の発明は、１台以上の選択された室内機運転後の室内外空気温度が性能測定温度の許容差の範囲内に入った後、運転選択された１台以上の室内機のリモートコントローラのうちの一つリモートコントローラまたは多室形空気調和機の運転選択された１台以上の室内機本体と室外機本体のうちの一つの本体の所定の操作ボタンを押してから所定時間が経過すると、制御パラメータ（圧縮機の運転周波数、室内外膨張弁の開度、室外ファンの回転数）が固定されることにより、目標吐出温度に到達するまでの時間が短縮され、性能測定時間の短縮を図ることができる。
【００１６】
以下、本発明の実施の形態について、図面を参照しながら説明する。なお、この実施の形態によって本発明が限定されるものではない。
【００１７】
（実施の形態１）
図１は、本発明の第１〜４の実施の形態における多室形空気調和機の冷凍サイクル図である。図１において、符号１〜２１は従来の多室形空気調和機と全く同一のものであり、その説明は省略する。図２は、本発明の実施の形態１における多室形空気調和機を動作させる場合の制御手順を示すフローチャートであり、Ｓ１〜Ｓ８は各動作ステップを示す。
【００１８】
図２において、多室形空気調和機１を動作させると、通常運転が行われる（Ｓ１）。そして、Ｓ２において性能測定時の室内外空調の温度判定が行われ、室内外空気温度が性能測定温度の許容差の範囲外と判断された場合、Ｓ３において、圧縮機２の運転周波数、室外膨張弁５または室内膨張弁２１ａ〜２１ｄの開度および室外ファン１０の回転数の変更が行われ、Ｓ１の通常運転モードになる。他方、Ｓ２において、室内外空気温度が性能測定温度の許容差の範囲内と判断された場合、Ｓ４において、運転選択された１台以上の室内機１６ａ〜１６ｄのリモートコントローラ１７ａ〜１７ｄのうちの一つのリモートコントローラまたは多室形空気調和機１の運転選択された１台以上の室内機本体１６ａ〜１６ｄと室外機本体１９のうちの一つの本体の所定の操作ボタンを押すと、圧縮機２の運転周波数が固定され、室外膨張弁５または室内膨張弁２１ａ〜２１ｄの開度および室外ファン１０の回転数が変更される（Ｓ５）。そして、Ｓ６において、吐出温度判定が行われ、目標吐出温度に到達していない場合はＳ５に戻る。他方、Ｓ６において、目標吐出温度に到達している場合は、Ｓ７において、室外膨張弁５と室内膨張弁２１ａ〜２１ｄの開度および室外ファン１０の回転数が固定される。そして、Ｓ８において、性能測定が行われる。
【００１９】
以上のように、本実施の形態においては、本体１運転後の室内外空気温度が性能測定温度の許容差の範囲内に入った後、運転選択された１台以上の室内機１６ａ〜１６ｄのリモートコントローラ１７ａ〜１７ｄのうちの一つのリモートコントローラまたは多室形空気
調和機１の運転選択された１台以上の室内機本体１６ａ〜１６ｄと室外機本体１９のうちの一つの本体の所定の操作ボタンを押すと、圧縮機２の運転周波数が固定されることにより、室外膨張弁５または室内膨張弁２１ａ〜２１ｄの開度および室外ファン１０の回転数の変更のみとなり、目標吐出温度に到達するまでの時間が短縮され、性能測定時間の短縮を図ることができる。
【００２０】
（実施の形態２）
図３は、本発明の実施の形態２における多室形空気調和機を動作させる場合の制御手順を示すフローチャートであり、Ｓ１１〜Ｓ１８は各動作ステップを示す。
【００２１】
図３において、多室形空気調和機１を動作させると、通常運転が行われる（Ｓ１１）。そして、Ｓ１２において性能測定時の室内外空調の温度判定が行われ、室内外空気温度が性能測定温度の許容差の範囲外と判断された場合、Ｓ１３において、圧縮機２の運転周波数、室外膨張弁５または室内膨張弁２１ａ〜２１ｄの開度および室外ファン１０の回転数の変更が行われ、Ｓ１１の通常運転モードになる。他方、Ｓ１２において、室内外空気温度が性能測定温度の許容差の範囲内と判断された場合、Ｓ１４において、運転選択された１台以上の室内機１６ａ〜１６ｄのリモートコントローラ１７ａ〜１７ｄのうちの一つのリモートコントローラまたは多室形空気調和機１の運転選択された１台以上の室内機本体１６ａ〜１６ｄと室外機本体１９のうちの一つの本体の所定の操作ボタンを押すと、室外膨張弁５と室内膨張弁２１ａ〜２１ｄの開度が固定され、圧縮機２の運転周波数および室外ファン１０の回転数が変更される（Ｓ１５）。そして、Ｓ１６において、吐出温度判定が行われ、目標吐出温度に到達していない場合は上記Ｓ１５に戻る。他方、Ｓ１６において、目標吐出温度に到達している場合は、Ｓ１７において、圧縮機２の運転周波数および室外ファン１０の回転数が固定される。そして、Ｓ１８において、性能測定が行われる。
【００２２】
以上のように、本実施の形態においては、本体１運転後の室内外空気温度が性能測定温度の許容差の範囲内に入った後、運転選択された１台以上の室内機１６ａ〜１６ｄのリモートコントローラ１７ａ〜１７ｄのうちの一つのリモートコントローラまたは多室形空気調和機１運転選択された１台以上の室内機本体１６ａ〜１６ｄと室外機本体１９のうちの一つの本体の所定の操作ボタンを押すと、室外膨張弁５または室内膨張弁２１ａ〜２１ｄの開度が固定されることにより、圧縮機２の運転周波数および室外ファン１０の回転数の変更のみとなり、目標吐出温度に到達するまでの時間が短縮され、性能測定時間の短縮を図ることができる。
【００２３】
（実施の形態３）
図４は、本発明の実施の形態３における多室形空気調和機を動作させる場合の制御手順を示すフローチャートであり、Ｓ２１〜Ｓ２８は各動作ステップを示す。
【００２４】
図４において、多室形空気調和機１を動作させると、通常運転が行われる（Ｓ２１）。そして、Ｓ２２において性能測定時の室内外空調の温度判定が行われ、室内外空気温度が性能測定温度の許容差の範囲外と判断された場合、Ｓ２３において、圧縮機２の運転周波数、膨張弁５または室内膨張弁２１ａ〜２１ｄの開度および室外ファン１０の回転数の変更が行われ、Ｓ２１の通常運転モードになる。他方、Ｓ２２において、室内外空気温度が性能測定温度の許容差の範囲内と判断された場合、Ｓ２４において、運転選択された１台以上の室内機１６ａ〜１６ｄのリモートコントローラ１７ａ〜１７ｄのうちの一つのリモートコントローラまたは多室形空気調和機１の運転選択された１台以上の室内機本体１６ａ〜１６ｄと室外機本体１９のうちの一つの本体の所定の操作ボタンを押すと、室外ファン１０の回転数と圧縮機２の運転周波数が固定され、室外膨張弁５または室内膨張弁２１ａ〜２１ｄの開度のみの変更となり（Ｓ２５ａ）、あるいは室外ファン１０の回転数および室外膨張弁５と室内膨張弁２１ａ〜２１ｄの開度が固定され、圧縮機２の運転周波数の
み変更となる（Ｓ２５ｂ）。そして、Ｓ２６において、吐出温度判定が行われ、目標吐出温度に到達していない場合は上記Ｓ２５ａまたはＳ２５ｂに戻る。他方、Ｓ２５ａにおいて、目標吐出温度に到達している場合は、Ｓ２７において、室外膨張弁５と室内膨張弁２１ａ〜２１ｄの開度が固定される。また、Ｓ２５ｂにおいて、目標吐出温度に到達している場合は、Ｓ２７において、圧縮機２の運転周波数が固定される。そして、Ｓ２８において、性能測定が行われる。
【００２５】
以上のように、本実施の形態においては、本体１運転後の室内外空気温度が性能測定温度の許容差の範囲内に入った後、運転選択された１台以上の室内機１６ａ〜１６ｄのリモートコントローラ１７ａ〜１７ｄのうちの一つのリモートコントローラまたは多室形空気調和機１の運転選択された１台以上の室内機本体１６ａ〜１６ｄと室外機本体１９のうちの一つの本体の所定の操作ボタンを押すと、室外ファン１０の回転数と圧縮機２の運転周波数が固定、あるいは室外ファン１０の回転数と室外膨張弁５、室内膨張弁２１ａ〜２１ｄの開度が固定されることにより、室外ファン１０の回転数と圧縮機２の運転周波数が固定の場合は室外膨張弁５または室内膨張弁２１ａ〜２１ｄの開度のみの変更、室外ファン１０の回転数と室外膨張弁５、室内膨張弁２１ａ〜２１ｄの開度が固定の場合は圧縮機２の運転周波数のみの変更となり、目標吐出温度に到達するまでの時間が短縮され、性能測定時間の短縮を図ることができる。
【００２６】
（実施の形態４）
図５は、本発明の実施の形態４における多室形空気調和機を動作させる場合の制御手順を示すフローチャートであり、Ｓ３１〜Ｓ３５は各動作ステップを示す。
【００２７】
図５において、多室形空気調和機１を動作させると、通常運転が行われる（Ｓ３１）。そして、Ｓ３２において性能測定時の室内外空調の温度判定が行われ、室内外空気温度が性能測定温度の許容差の範囲外と判断された場合、Ｓ３３において、圧縮機２の運転周波数、室外膨張弁５または室内膨張弁２１ａ〜２１ｄの開度および室外ファン１０の回転数の変更が行われ、Ｓ３１の通常運転モードになる。他方、Ｓ３２において、室内外空気温度が性能測定温度の許容差の範囲内と判断された場合、Ｓ３４において、運転選択された１台以上の室内機１６ａ〜１６ｄのリモートコントローラ１７ａ〜１７ｄのうちの一つのリモートコントローラまたは多室形空気調和機１の運転選択された１台以上の室内機本体１６ａ〜１６ｄと室外機本体１９のうちの一つの本体の所定の操作ボタンを押してから、Ｓ３５において、所定時間が経過すると、図２のＡ点以降の動作ステップ、図３のＢ点以降の動作ステップ、図４のＣ点以降の動作ステップ、図４のＤ点以降の動作ステップとなり、制御パラメータ（圧縮機の運転周波数、室内外膨張弁の開度、室外ファンの回転数）が固定されることにより、目標吐出温度に到達するまでの時間が短縮され、性能測定時間の短縮を図ることができる。
【産業上の利用可能性】
【００２８】
以上のように、本発明にかかる多室形空気調和機は、冷房・暖房能力試験時に能力測定時間を短縮することが可能となるので、多室形空気調和機で、特にインバータ機、一定速機等の用途にも適用できる。
【図面の簡単な説明】
【００２９】
【図１】本発明の実施の形態１〜４における多室形空気調和機の冷凍サイクル図
【図２】本発明の実施の形態１における多室形空気調和機を動作させる場合の制御手順を示すフローチャート
【図３】本発明の実施の形態２における多室形空気調和機を動作させる場合の制御手順を示すフローチャート
【図４】本発明の実施の形態３における多室形空気調和機を動作させる場合の制御手順を示すフローチャート
【図５】本発明の実施の形態４における多室形空気調和機を動作させる場合の制御手順を示すフローチャート
【図６】従来の多室形空気調和機の冷凍サイクル図
【図７】従来の多室形空気調和機を動作させる場合の制御手順を示すフローチャート
【符号の説明】
【００３０】
１  多室形空気調和機（本体）
２  圧縮機
３  四方弁
４  室外熱交換器
５  室外膨張弁
６ａ〜６ｄ  室内熱交換器
７  冷媒配管
８  レシーバ
９  吐出温度センサ
１０  室外ファン
１１  室外熱交温度センサ
１２ａ〜１２ｄ  室内ファン
１３ａ〜１３ｄ  室内熱交温度センサ
１４ａ〜１４ｄ  室内吸込温度センサ
１５ａ〜１５ｄ  室内制御器
１６ａ〜１６ｄ  室内機
１７ａ〜１７ｄ  リモートコントローラ（ワイヤレスリモコンまたはワイヤードリモコン）
１８  室外制御器
１９  室外機
２０  室外吸込温度センサ
２１ａ〜２１ｄ  室内膨張弁
【図１】
2008039312.tif 000003
【図２】
2008039312.tif 000004
【図３】
2008039312.tif 000005
【図４】
2008039312.tif 000006
【図５】
2008039312.tif 000007
【図６】
2008039312.tif 000008
【図７】
2008039312.tif 000009